(57)【要約】【課題】ＦＰＣによる電気的な接続のパターンを容易に切り換え可能にする。【解決手段】第１挿入口３１にＦＰＣ１０を挿入し、第２挿入口４１にＦＰＣ７を挿入した後、第２ガイド部４をＡ〜Ｆのいずれかの位置にスライドして弾性片４４をＡ〜Ｆのいずれかで縦列する６つの中継端子６１に接触させれば、ＦＰＣ１０の端子２１〜２６とＦＰＣ７の端子７１〜７６とが電気的に接続される。即ち、第２ガイド部４を位置Ａ〜Ｆにスライドさせることで、端子２１〜２６及び端子７１〜７６の電気的接続のパターンを容易に変化させることができる。【選択図】  図１
2004363001.tif 000002
【特許請求の範囲】
【請求項１】
碁盤目状に縦列配置された複数列の中継端子と、隣接する列の中継端子同士の各々を一対一に接続する導線とが形成されたパターン形成面と、前記中継端子の列と略垂直に形成された凹部とを有する本体部と、
一方のＦＰＣ（Ｆｌｅｘｉｓｉｂｌｅ  Ｐｒｉｎｔｅｄ  Ｃｉｒｃｕｉｔ）を挿入する第１挿入口と、前記本体部の最端側に配置された列の中継端子と前記第１挿入口に挿入されたＦＰＣに設けられた複数の端子とを各々一対一に接続する導体でありかつ前記第１挿入口内の上部または下部に向かって付勢されている弾性体である第１部材とを有する第１接続部と、
前記凹部と嵌合しかつ前記凹部内でスライド可能な凸部と、前記パターン形成面上をスライド移動していずれかの列の中継端子の各々と電気的に接触する導体でありかつ前記パターン形成面に向かって付勢されている弾性体である複数の接触導体とを有するパターン切換部と、
他方のＦＰＣを挿入する第２挿入口と、前記接触導体と前記第２挿入口に挿入されたＦＰＣに設けられた端子とを各々一対一に接続する導体でありかつ前記第２挿入口内の上部または下部に向かって付勢されている弾性体である第２部材とを有する第２接続部と、
を備え、前記隣接する列の中継端子同士の接続は列の位置ごとに異なることを特徴とすることを特徴とするＦＰＣ中継器。
【請求項２】
碁盤目状に縦列配置された複数列の中継端子と、隣接する列の中継端子同士の各々を一対一に接続する導線とが形成されたパターン形成面を有する本体部と、
前記本体部の最端側に配置された列の中継端子と一方のＦＰＣ（Ｆｌｅｘｉｓｉｂｌｅ  Ｐｒｉｎｔｅｄ  Ｃｉｒｃｕｉｔ）に設けられた複数の端子とを各々一対一に電気的に接続する導体である第１部材を有する第１接続部と、
前記パターン形成面上を直線移動していずれかの列の中継端子の各々と電気的に接触する導体である複数の接触導体を有するパターン切換部と、
前記接触導体と他方のＦＰＣに設けられた端子とを各々一対一に電気的に接続する導体である第２部材を有する第２接続部と、
を備え、前記隣接する列の中継端子同士の接続は列の位置ごとに異なることを特徴とすることを特徴とするＦＰＣ中継器。
【請求項３】
前記接触導体は前記パターン形成面に向かって付勢されている弾性体であることを特徴とする請求項２記載のＦＰＣ中継器。
【請求項４】
前記第１接続部は、ＦＰＣを挿入する第１挿入口を有し、前記第１部材は前記第１挿入口内の上部または下部に向かって付勢されている弾性体であることを特徴とする請求項２記載のＦＰＣ中継器。
【請求項５】
前記第２接続部は、ＦＰＣを挿入する第２挿入口を有し、前記第２部材は前記第２挿入口内の上部または下部に向かって付勢されている弾性体であることを特徴とする請求項２記載のＦＰＣ中継器。
【請求項６】
前記本体部は前記中継端子の列と略垂直に形成された凹部を有し、前記パターン切換部は前記凹部と嵌合しかつ前記凹部内でスライド可能な凸部を有することを特徴とする請求項２記載のＦＰＣ中継器。
【発明の詳細な説明】
【０００１】
【発明の属する技術分野】
本発明は、ＦＰＣ（Ｆｌｅｘｉｓｉｂｌｅ  Ｐｒｉｎｔｅｄ  Ｃｉｒｃｕｉｔ）の接続中継に関する。
【０００２】
【従来の技術】
従来、プリント基板に形成された配線ライン同士を接続するための様々な技術が開発されている。例えば、特許文献１には、複数の基板をＦＰＣにより相互接続するための技術が開示されている。この技術によると、ＦＰＣの端部以外の中間部分に複数の接触ランドを設ける。ＦＰＣコネクタには、ＦＰＣの接触ランドと接続するコンタクトと、基板との接続を行うためのピンとを設ける。接触ランドのそれぞれにＦＰＣコネクタのコンタクトを接触させ、ＦＰＣコネクタのピンに基板を接触させれば、複数の基板を電気的に接続できる。
【０００３】
【特許文献１】
特開平５−１１４７７４号公報
【０００４】
【発明が解決しようとする課題】
ところが、特許文献１の技術を用いて２つの基板を電気的に接続したとしても、接続のパターンを切り換えることはできない。本発明の目的は、ＦＰＣによる電気的な接続のパターンを容易に切り換え可能にすることにある。
【０００５】
【課題を解決するための手段】
請求項１記載の発明は、碁盤目状に縦列配置された複数列の中継端子と、隣接する列の中継端子同士の各々を一対一に接続する導線とが形成されたパターン形成面と、前記中継端子の列と略垂直に形成された凹部とを有する本体部と、一方のＦＰＣ（Ｆｌｅｘｉｓｉｂｌｅ  Ｐｒｉｎｔｅｄ  Ｃｉｒｃｕｉｔ）を挿入する第１挿入口と、前記本体部の最端側に配置された列の中継端子と一方のＦＰＣに設けられた複数の端子とを各々一対一に接続する導体でありかつ第１挿入口内の上部または下部に向かって付勢されている弾性体である第１部材とを有する第１接続部と、前記凹部と嵌合しかつ前記凹部内でスライド可能な凸部と、前記パターン形成面上をスライド移動していずれかの列の中継端子の各々と電気的に接触する導体でありかつ前記パターン形成面に向かって付勢されている弾性体である複数の接触導体とを有するパターン切換部と、他方のＦＰＣを挿入する第２挿入口と、前記接触導体と他方のＦＰＣに設けられた端子とを各々一対一に接続する導体でありかつ前記第２挿入口内の上部または下部に向かって付勢されている弾性体である第２部材とを有する第２接続部と、を備え、前記隣接する列の中継端子同士の接続は列の位置ごとに異なることを特徴とすることを特徴とするＦＰＣ中継器である。
【０００６】
請求項２記載の発明は、碁盤目状に縦列配置された複数列の中継端子と、隣接する列の中継端子同士の各々を一対一に接続する導線とが形成されたパターン形成面を有する本体部と、前記本体部の最端側に配置された列の中継端子と一方のＦＰＣ（Ｆｌｅｘｉｓｉｂｌｅ  Ｐｒｉｎｔｅｄ  Ｃｉｒｃｕｉｔ）に設けられた複数の端子とを各々一対一に電気的に接続する導体である第１部材を有する第１接続部と、前記パターン形成面上を直線移動していずれかの列の中継端子の各々と電気的に接触する導体である複数の接触導体を有するパターン切換部と、
前記接触導体と他方のＦＰＣに設けられた端子とを各々一対一に電気的に接続する導体である第２部材を有する第２接続部と、を備え、前記隣接する列の中継端子同士の接続は列の位置ごとに異なることを特徴とすることを特徴とするＦＰＣ中継器である。
【０００７】
この発明によると、パターン形成面上でパターン切換部を直線移動させることで第１接続部に接続されたＦＰＣと第２接続部に接続されたＦＰＣとの電気的な接続のパターンを容易に切り換えることができる。ここで、パターン切換部を直線移動させるためには、例えば本体部に凹部を、パターン切換部に凸部を設け、凹部に凸部を嵌合させて凹部内でスライドすることが挙げられるが、パターン切換部を直線移動可能であればその他の機構であってもよい。なお、隣接する列の中継端子同士の接続は、必要に応じ適宜定めることが可能であり、一部の中継端子をどの中継端子にも接続しない（オープン）ようにしてもよい。
【０００８】
請求項３記載の発明は、前記接触導体は前記パターン形成面に向かって付勢されている弾性体であることを特徴とする請求項２記載のＦＰＣ中継器である。
【０００９】
この発明によると、弾性体の押圧により接触導体と中継端子との接続を確実にすることができる。
【００１０】
請求項４記載の発明は、前記第１接続部は、ＦＰＣを挿入する第１挿入口を有し、前記第１部材は前記第１挿入口内の上部または下部に向かって付勢されている弾性体であることを特徴とする請求項２記載のＦＰＣ中継器である。
【００１１】
この発明によると、第１挿入口に挿入されたＦＰＣを第１部材により挿入口上部または下部に向かって押圧して固定できる。
【００１２】
請求項５記載の発明は、前記第２接続部は、ＦＰＣを挿入する第２挿入口を有し、前記第２部材は前記第２挿入口内の上部または下部に向かって付勢されている弾性体であることを特徴とする請求項２記載のＦＰＣ中継器である。
【００１３】
この発明によると、第２挿入口に挿入されたＦＰＣを第２部材により挿入口上部または下部に向かって押圧して固定できる。
【００１４】
請求項６記載の発明は、前記本体部は前記中継端子の列と略垂直に形成された凹部を有し、前記パターン切換部は前記凹部と嵌合しかつ前記凹部内でスライド可能な凸部を有することを特徴とする請求項２記載のＦＰＣ中継器である。
【００１５】
この発明によると、凹部内でパターン切換部をスライドさせて直線移動させることでＦＰＣ同士の接続パターンを切り換えることができる。
【００１６】
【発明の実施の形態】
図１は、本発明の一実施形態に係るＦＰＣ中継器１の斜視図である。このＦＰＣ中継器１は、ＦＰＣ（Ｆｌｅｘｉｓｉｂｌｅ  Ｐｒｉｎｔｅｄ  Ｃｉｒｃｕｉｔ）１０を挿入可能な第１挿入口３１を有する第１ガイド部３と、ＦＰＣ７を挿入可能な第２挿入口４１及び凸部４２を有する第２ガイド部４と、配線パターンが形成されたパターン形成面Ｓ及び第２ガイド部４が有する凸部４２と嵌合して第２ガイド部４を横方向にスライド移動可能にする凹部５を有する本体部６とを備える。ＦＰＣ１０は、６つのライン１１〜１６を備えており、各ライン１１〜１６は末端に端子２１〜２６をそれぞれ備えている。ＦＰＣ７も同様に、６つのライン８１〜８６を備えており、各ライン８１〜８６は末端に端子７１〜７６をそれぞれ備えている。
【００１７】
図２は、図１におけるＦＰＣ中継器１のＸ１−Ｘ２断面図である。第１ガイド部３は、プラスチックなどの絶縁体で構成されており本体部６のパターン形成面Ｓの本図向かって左側（Ｌ）に固定されている。挿入口３１の内部底面には、６つの略くの字形の弾性片３２が並列して埋設されている（図示せず）。弾性片３２は、ＦＰＣ１０を端子２１〜２６が形成された端面Ｅ１を奥にして挿入口３１へ挿入し、端面Ｅ１が挿入口３１の最深部Ｄ１に当接してそれ以上の挿入が抑止された場合、端子２１〜２６と接触する位置に埋設されている。弾性片３２は導体で構成されており、端子２１〜２６と接触することで各々電気的に接続する。弾性片３２は、挿入口３１上部に向かって付勢されており、挿入口３１に挿入されたＦＰＣ７を挿入口３１上部に押圧して固定する。さらに、後述のように各々の弾性片３２は、パターン形成面Ｓの端子６１と電気的に接続されている。
【００１８】
一方、第２ガイド部４は絶縁体で構成されており、第２ガイド部４に形成された第２挿入口４１の内部底面には、６つの略くの字形の弾性片４３が並列して埋設されている（図示せず）。弾性片４３は、ＦＰＣ７の端子７１〜７６が形成された端面Ｅ２を奥にして挿入口４１へ挿入し、端面Ｅ２が挿入口４１の最深部Ｄ２に当接してそれ以上の挿入が抑止された場合、端子７１〜７６と接触する位置に埋設されている。弾性片４３は導体で構成されており、端子７１〜７６と接触することで各々電気的に接続する。弾性片４３は挿入口４１上部に向かって付勢されており、挿入口４１に挿入されたＦＰＣ１０を挿入口４１上部に押圧して固定する。
【００１９】
第２ガイド部４の底面には、６つの略くの字形の導体からなる弾性片４４が並列して埋設されている（図示せず）。各々の弾性片４４は、各々の弾性片４３と半田付けなどにより電気的に接続されている。弾性片４４は、パターン形成面Ｓに向かって付勢されており、第２ガイド部４の底面からパターン形成面Ｓに押圧力を与え凹部５内の凸部４２のスライド移動を抑制し第２ガイド部４を固定する。この弾性片４４による第２ガイド部４の固定は、指などにより第２ガイド部４の側面に所定抗力を加えることで解除できる。そして、第２ガイド部４の固定位置は、本体部６に所定抗力を加えて左側Ｌまたは右側Ｒにスライドさせることにより、パターン形成面Ｓに碁盤目状に形成される６行×６列＝３６個の中継端子６１（後述）のうちいずれか１列の６個の中継端子６１と６つの弾性片４３とが各々接触して電気的に接続される位置Ａ、Ｂ、Ｃ、Ｄ、Ｅ、Ｆのいずれかに任意に変更可能である。なお、第２ガイド部４のＲ側へのスライドはパターン形成面Ｓの端に形成されたストッパ９に第２ガイド部４が当接することにより位置Ｆまで、Ｌ側へのスライドは第１ガイド部３に第２ガイド部４が当接することにより位置Ａまでに抑止される。なお、第２ガイド部４をスライドさせる機構は上記に限定されず、例えばモーターなどの動力を制御することにより第２ガイド部４が位置Ａ〜Ｆにスライドして停止するようにしてもよい。
【００２０】
図３は、本体部６のパターン形成面Ｓの上面図である。パターン形成面Ｓには、各々絶縁された６個の中継端子６１が碁盤目状に位置Ａ〜Ｆに縦列配置されている。第２ガイド部４に設けられた６つの弾性片４４は、第２ガイド部４をＬまたはＲにスライドすることにより、Ａ〜Ｆのいずれかで縦列する６つの中継端子６１の各々と電気的に接続する。位置Ａ〜Ｆで縦列した６つの中継端子６１は、隣に縦列する６つの中継端子６１と導線６２により一対一に電気的に接続される。さらに、位置Ａに縦列した６つの中継端子６１の各々は、導線６０により６つの弾性片３２の各々と電気的に接続されている。なお、パターン形成面Ｓに形成する中継端子６１の数、縦列させる中継端子６１の数、導線６２による中継端子６１同士の接続は、図３に示すものに限定されず必要に応じて適宜変更可能である。一部の中継端子６１をどの中継端子６１にも接続しない（オープン）ようにしてもよい。
【００２１】
図３のパターン形成面Ｓ上で第２ガイド部４を位置Ａ〜Ｆにスライドさせた場合の端子２１〜２６及び端子７１〜７６の接続パターンを図４に示す。図４によると、例えば第２ガイド部４を位置Ａにスライドさせた場合、端子２１〜２６は各々端子７１〜７６と交差せずに（ストレート）接続される。一方、例えば第２ガイド部４を位置Ｂにスライドさせた場合、端子２１は端子７２と、端子２２は端子７１と、端子２３は端子７４と、端子２４は端子７３と、端子２５は端子７６と、端子２６は端子７５とそれぞれ交差して（クロス）接続される。
【００２２】
以上のように、第１挿入口３１にＦＰＣ１０を挿入し、第２挿入口４１にＦＰＣ７を挿入した後、第２ガイド部４をＡ〜Ｆのいずれかの位置にスライドして弾性片４４を縦列する中継端子６１に接触させれば、ＦＰＣ１０の端子２１〜２６とＦＰＣ７の端子７１〜７６とが電気的に接続される。即ち、第２ガイド部４を位置Ａ〜Ｆにスライドさせることで、端子２１〜２６及び端子７１〜７６の電気的接続のパターンを容易に変化させることができる。
【００２３】
【発明の効果】
本発明によると、パターン形成面上でパターン切換部を直線移動させることで第１接続部に接続されたＦＰＣと第２接続部に接続されたＦＰＣとの電気的な接続のパターンを容易に切り換えることができる。
【図面の簡単な説明】
【図１】本発明の一実施形態であるＦＰＣ中継器の斜視図。
【図２】ＦＰＣ中継器のＸ１−Ｘ２断面図。
【図３】パターン形成面Ｓの上面図。
【図４】第２ガイド部のスライド位置と短絡するＦＰＣの端子との関係を示す図。
【符号の説明】
１：ＦＰＣ中継器
３：第１ガイド部
４：第２ガイド部
５：凹部
６：本体部
６１：中継端子
３１、４１：挿入口
４２：凸部
７、１０：ＦＰＣ
【図１】
2004363001.tif 000003
【図２】
2004363001.tif 000004
【図３】
2004363001.tif 000005
【図４】
2004363001.tif 000006